(57)【特許請求の範囲】
【請求項１】
遊技盤の裏面に組み付けられる演出装置を備えており、
演出装置は、
ケースと、
ケースに対して可動可能に組み付けられた第１の可動役物と、
ケースに対して係合部を介して取り付け取り外し可能に組み付けられ、かつ、可動した第１の可動役物に対して係合可能な第１の移動役物と、
ケースに対して可動可能に組み付けられた第２の可動役物と、
第２の可動役物に対して係合部を介して取り付け取り外し可能に組み付けられ、かつ、第１の移動役物に対して係合可能な第２の移動役物と、を有しており、
第１の移動役物は、第１の可動役物の可動によって自身に対して第１の可動役物が係合すると、ケースに対する係合部を介した自身の組み付けが取り外されて自身がケースから脱し可能となっており、
第２の移動役物は、第２の可動役物の可動によって自身がケースから脱した第１の移動役物に対して係合すると、第２の可動役物に対する係合部を介した自身の組み付けが取り外されて自身が第２の可動役物から脱し可能となっている遊技機。
【発明の詳細な説明】
【技術分野】
【０００１】
本発明は、遊技機に関し、詳しくは、遊技盤の裏面に組み付けられる演出装置を備えている遊技機に関する。
【背景技術】
【０００２】
従来、パチンコ機等の遊技機において、その興趣性を高めるために演出動作（例えば、光る動作、動く動作等）する役物が遊技盤に組み付けられている。ここで、下記特許文献１には、役物が移動部材（例えば、アーム、橋ゲタ等の可動装置）を介して遊技盤に組み付けられているパチンコ機が開示されている。これにより、移動部材を介して移動させた後に役物を演出（例えば、光らせたり、動かしたり等）させることができるため、パチンコ機の興趣性をより高めることができる。
【先行技術文献】
【特許文献】
【０００３】
【特許文献１】特開２０１３−６６７３２号公報
【発明の概要】
【発明が解決しようとする課題】
【０００４】
しかしながら、上述した特許文献１の技術では、移動部材を介して役物を移動させると、この移動させた役物に移動部材が追従するため、この移動させた役物の演出に制限を生じさせてしまうこととなっていた。
【０００５】
本発明は、このような課題を解決しようとするもので、その目的は、移動させた役物の演出に制限を生じさせることなく、興趣性をより高めることができる遊技機を提供することである。
【課題を解決するための手段】
【０００６】
本発明は、上記の目的を達成するためのものであって、以下のように構成されている。請求項１に記載の発明は、遊技盤の裏面に組み付けられる演出装置を備えている。演出装置は、ケースと、ケースに対して可動可能に組み付けられた第１の可動役物と、ケースに対して係合部を介して取り付け取り外し可能に組み付けられ、かつ、可動した第１の可動役物に対して係合可能な第１の移動役物と、ケースに対して可動可能に組み付けられた第２の可動役物と、第２の可動役物に対して係合部を介して取り付け取り外し可能に組み付けられ、かつ、第１の移動役物に対して係合可能な第２の移動役物と、を有している。第１の移動役物は、第１の可動役物の可動によって自身に対して第１の可動役物が係合すると、ケースに対する係合部を介した自身の組み付けが取り外されて自身がケースから脱し可能となっている。第２の移動役物は、第２の可動役物の可動によって自身がケースから脱した第１の移動役物に対して係合すると、第２の可動役物に対する係合部を介した自身の組み付けが取り外されて自身が第２の可動役物から脱し可能となっている。
【０００７】
請求項１の発明によれば、移動役物がケースから第１の可動役物に乗り移る格好となる。そのため、移動させた移動役物の演出に制限を生じさせることがない。また、従来技術と同様に、興趣性をより高めることができる。
【図面の簡単な説明】
【００１０】
【図１】実施例に係るパチンコ機の斜視図である。
【図２】図１の分解図である。
【図３】図２の演出装置の拡大図である。
【図４】図３の演出装置の分解図である。
【図５】図３の上側の補助アームの拡大図である。
【図６】図５の上側の補助アームの分解図である。
【図７】図３の主役物の正面図である。
【図８】図３の補助役物の拡大図である。
【図９】図８の補助役物の分解図である。
【図１０】図３の演出装置の電気的な構成を説明するブロック図である。
【図１１】図３の演出装置の動作を説明するフロー図である。
【図１２】図１１の初期状態を説明する模式図である。
【図１３】図１１のステップＳ２の動作を説明する模式図である。
【図１４】図１１のステップＳ３の動作を説明する模式図である。
【図１５】図１１のステップＳ４の動作を説明する模式図である。
【図１６】図１５の主要部の模式図である。
【図１７】図１１のステップＳ５の動作を説明する模式図である。
【図１８】図１７の主要部の模式図である。
【図１９】図１１のステップＳ５の動作を説明する模式図である。
【図２０】図１９の主要部の模式図である。
【図２１】図１１のステップＳ６の動作を説明する模式図である。
【図２２】図２１の主要部の模式図である。
【図２３】図１１のステップＳ７の動作を説明する模式図である。
【図２４】図２３の主要部の模式図である。
【図２５】図１１のステップＳ８の動作を説明する模式図である。
【図２６】図２５の主要部の模式図である。
【発明を実施するための形態】
【００１１】
以下、本発明を実施するための形態を、図１〜２６を用いて説明する。まず、図１〜２を参照して、本発明の実施例に係る遊技機１の全体構成を説明する。なお、遊技機１の例としてパチンコ機１を説明することとする。
【００１２】
このパチンコ機１は、主として、パチンコホールにおける遊技島のベース（いずれも図示しない）に組み付けられる外枠２と、この外枠２に対して開閉可能にヒンジ結合される内枠３と、この内枠３に対して組み付けられる遊技盤ユニット４と、この内枠３に対して開閉可能にヒンジ結合されるガラス枠５とから構成されている。
【００１３】
この遊技盤ユニット４は、遊技盤４ａと、この遊技盤４ａの裏面に組み付けられる演出装置４ｂとから構成されている。ここで、この演出装置４ｂについて詳述すると、この演出装置４ｂは、ケース１０と、このケース１０の凹面１２の左側に組み付けられた主アーム２０と、このケース１０の凹面１２の上側と下側とに組み付けられた一対の補助アーム３０と、このケース１０または主アーム２０が掴み可能な主役物４０と、この一対の補助アーム３０が掴み可能な一対の補助役物５０と、から構成されている（図３〜４参照）。以下に、これらケース１０と主アーム２０と一対の補助アーム３０と主役物４０と一対の補助役物５０とを個別に説明していく。
【００１４】
はじめに、ケース１０から説明する。このケース１０の凹面１２には、その板厚を貫通するように矩形の開口１４が形成されている。また、この凹面１２の裏面側には、開口１４を塞ぐようにモニタ１６が組み付けられている。このモニタ１６により、例えば、大当たりの抽選結果の図柄を表示できる。
【００１５】
また、このケース１０の凹面１２における開口１４の上縁には、一対の挟持爪１８ａ、１８ｂから成るチャック１８が枢着されている。このチャック１８は、その一対の挟持爪１８ａ、１８ｂが遠ざかったり近づいたりするようにケース１０の凹面１２における開口１４の上縁に対して開閉可能に枢着されている。なお、この枢着は、ケース１０の凹面１２における開口１４の上縁の近傍に組み付けられたサーボモータ１８ｃ、１８ｄを介して行われている。
【００１６】
これにより、このチャック１８の開状態にある一対の挟持爪１８ａ、１８ｂを後述する主役物４０の第１の被挟持部４２の一対の被挟持穴４２ａ、４２ｂに挿し込んで閉状態にすると、このチャック１８が主役物４０を掴むことができる。これとは逆に、この閉状態にある一対の挟持爪１８ａ、１８ｂを開状態に戻すと、この掴んだ主役物４０を放すことができる。ケース１０は、このように構成されている。
【００１７】
次に、主アーム２０を説明する。この主アーム２０は、基端がケース１０の凹面１２に対して枢着されたメインアーム２２と、このメインアーム２２の先端に対して基端が枢着されたサブアーム２４とから構成されている。このサブアーム２４の先端には、一対の挟持爪２６ａ、２６ｂから成るチャック２６が組み付けられている。このチャック２６は、その一対の挟持爪２６ａ、２６ｂが遠ざかったり近づいたりするようにサブアーム２４の先端に対して開閉可能に組み付けられている。
【００１８】
なお、このメインアーム２２の基端は、ケース１０の凹面１２の裏側に組み付けられたサーボモータ２２ａを介してケース１０の凹面１２に対して枢着されている。また、このサブアーム２４の基端は、メインアーム２２の基端に組み付けられたサーボモータ２４ａを介してメインアーム２２の先端に対して枢着されている。これにより、主アーム２０（メインアーム２２とサブアーム２４）を個別に作動させることができるため、チャック２６をケース１０の所望する位置に移動させることができる。
【００１９】
また、このチャック２６は、その一対の挟持爪２６ａ、２６ｂがサーボモータ２６ｃ、２６ｄを介してサブアーム２４の先端に対して開閉可能に枢着されている。これにより、このチャック２６開状態にある一対の挟持爪２６ａ、２６ｂを後述する主役物４０の第２の被挟持部４４の一対の被挟持穴４４ａ、４４ｂに挿し込んで閉状態にすると、このチャック２６が主役物４０を掴むことができる。これとは逆に、この閉状態にある一対の挟持爪２６ａ、２６ｂを開状態に戻すと、この掴んだ主役物４０を放すことができる。主アーム２０は、このように構成されている。
【００２０】
次に、一対の補助アーム３０を説明する（図５〜６参照）。この一対の補助アーム３０は、上下に対を成すように設けられている。そのため、上側の補助アーム３０を説明することで、下側の補助アーム３０の説明を省略することとする。この補助アーム３０の先端には、後述する補助役物５０の第１の挿込体６２の挿込部６２ａを挿し込み可能な係合ポケット３２が組み付けられている。また、この補助アーム３０の先端には、一対の挟持爪３４ａ、３４ｂから成るチャック３４が組み付けられている。
【００２１】
このチャック３４は、その一対の挟持爪３４ａ、３４ｂが遠ざかったり近づいたりするように補助アーム３０の先端に対して開閉可能に組み付けられている。なお、この補助アーム３０の基端は、ケース１０の凹面１２の裏側に組み付けられたサーボモータ３０ａを介してケース１０の凹面１２に対して枢着されている。これにより、補助アーム３０を作動させることができるため、チャック３４を所望する位置に移動させることができる。また、このチャック３４は、その一対の挟持爪３４ａ、３４ｂがサーボモータ３４ｃ、３４ｄを介して補助アーム３０の先端に対して開閉可能に枢着されている。
【００２２】
これにより、このチャック３４の一対の挟持爪３４ａ、３４ｂが後述する補助役物５０の挿込体群６０の第２の挿込体６４のピン６４ｃと第３の挿込体６６のピン６６ｃとを保持すると（閉状態にある一対の挟持爪３４ａ、３４ｂがピン６４ｃ、６６ｃを受け入れて開状態に切り替わると）、このチャック３４が補助役物５０を掴むことができる。これとは逆に、この保持を解消すると、この掴んだ補助役物５０を放すことができる。補助アーム３０は、このように構成されている。
【００２３】
次に、主役物４０を説明する（図７参照）。この主役物４０は、パチンコ機１の演出効果を高めるための部材である。この主役物４０の外周面には、上述した一対の被挟持穴４２ａ、４２ｂから成る第１の被挟持部４２と、上述した一対の被挟持穴４４ａ、４４ｂから成る第２の被挟持部４４とが形成されている。また、この主役物４０の外周面には、係合突起４６ａと、その両側の係合突起４６ｂ、４６ｃとから成る係合部４６が対向するように一対形成されている。また、この主役物４０は、自身が演出（例えば、光ったり、動いたり等）可能となっている。主役物４０は、このように構成されている。
【００２４】
最後に、補助役物５０を説明する（図８〜９参照）。この補助役物５０も、上述した主役物４０と同様に、パチンコ機１の演出効果を高めるための部材である。この補助役物５０は、主として、挿込体群６０と主装飾体群７０と補助装飾体群８０とから構成されている。この挿込体群６０は、第１の挿込体６２と、この第１の挿込体６２の両側に対を成すように枢着された第２の挿込体６４と、第３の挿込体６６とから構成されている。
【００２５】
この第１の挿込体６２には、上述した補助アーム３０の係合ポケット３２に挿し込み可能な挿込部６２ａが形成されている。また、この第１の挿込体６２には、上述した主役物４０の係合部４６の係合突起４６ａを挿し込み可能な係合穴６２ｂが形成されている。また、この第１の挿込体６２には、上述した主役物４０の外周面４０ａの円弧に対応可能な円弧部６２ｃが形成されている。
【００２６】
一方、この第２の挿込体６４には、上述した主役物４０の係合部４６の係合突起４６ｂを挿し込み可能な係合穴６４ａが形成されている。また、この第２の挿込体６４には、上述した主役物４０の外周面４０ａの円弧に対応可能な円弧部６４ｂが形成されている。また、この第２の挿込体６４には、補助アーム３０のチャック３４の挟持爪３４ａに係合可能なピン６４ｃが形成されている。
【００２７】
また、この第３の挿込体６６にも、上述した主役物４０の係合部４６の係合突起４６ｃを挿し込み可能な係合穴６６ａが形成されている。また、この第３の挿込体６６にも、上述した主役物４０の外周面４０ａの円弧に対応可能な円弧部６６ｂが形成されている。また、この第３の挿込体６６にも、補助アーム３０のチャック３４の挟持爪３４ｂに係合可能なピン６６ｃが形成されている。
【００２８】
また、この主装飾体群７０は、第１の主装飾体７２と、この第１の主装飾体７２の両側に対を成すように設けられた第２の主装飾体７４と、第３の主装飾体７６とから構成されている。これら各主装飾体７２、７４、７６は、上述した挿込体群６０の各挿込体６２、６４、６６にそれぞれ固着されている。
【００２９】
また、この補助装飾体群８０は、第１の補助装飾体８２と、この第１の補助装飾体８２の両側に対を成すように設けられた第２の補助装飾体８４と、第３の補助装飾体８６とから構成されている。この第１の補助装飾体８２には、台座８２ａを介してピン８２ｂが形成されている。また、この第１の補助装飾体８２には、上述した主役物４０の外周面４０ａの円弧に対応可能な円弧部８２ｃが形成されている。
【００３０】
一方、この第２の補助装飾体８４には、台座８４ａを介してピン８４ｂが形成されている。また、この第２の補助装飾体８４には、上述した主役物４０の外周面４０ａの円弧に対応可能な円弧部８４ｃが形成されている。また、この第３の補助装飾体８６には、台座８６ａを介してピン８６ｂとばね掛け突起８６ｄとが形成されている。また、この第３の補助装飾体８６には、上述した主役物４０の外周面４０ａの円弧に対応可能な円弧部８６ｃが形成されている。
【００３１】
なお、挿込体群６０の第１の挿込体６２と第２の挿込体６４とは、補助装飾体群８０の第２の補助装飾体８４のピン８４ｂを介して枢着されている。このとき、第１の挿込体６２と第２の挿込体６４とは、第１のトーションばね５２を介して互いの円弧部６２ｃ、６４ｂが向かい合う方向に付勢されている。また、これと同様に、挿込体群６０の第１の挿込体６２と第３の挿込体６６とは、補助装飾体群８０の第１の補助装飾体８２のピン８２ｂを介して枢着されている。このとき、第１の挿込体６２と第３の挿込体６６とは、第２のトーションばね５４を介して互いの円弧部６２ｃ、６６ｂが向かい合う方向に付勢されている。
【００３２】
また、挿込体群６０の第３の挿込体６６には、補助装飾体群８０の第３の補助装飾体８６のピン８６ｂが挿し込まれている。このとき、第３の挿込体６６と第３の補助装飾体８６とは、第３のトーションばね５６を介して互いの円弧部６６ｂ、８６ｃが向かい合う方向の反対方向に付勢されている。そのため、この第３のトーションばね５６の一端は第３の挿込体６６に掛け止めされ、同他端は第３の補助装飾体８６のばね掛け突起８６ｄに掛け止めされている。補助役物５０は、このように構成されている。
【００３３】
これらケース１０と主アーム２０と一対の補助アーム３０と主役物４０と一対の補助役物５０とから演出装置４ｂは構成されている。ここで、この演出装置４ｂの電気的な構成を説明すると、この演出装置４ｂのケース１０には、所定のプログラムが記憶されている制御装置９０が組み付けられている。この制御装置９０は、上述した各サーボモータ１８ｃ、１８ｄ、２２ａ、２４ａ、２６ｃ、２６ｄ、３０ａ、３４ｃ、３４ｄとに対して電気的に接続されている（図１０参照）。
【００３４】
続いて、上述したパチンコ機１の制御装置９０の動作を説明する（図１１〜２６参照）。この動作の説明にあたって、主役物４０は、予め、ケース１０のチャック１８に掴まれた状態にセットされている（図１２参照）。これと同様に、一対の補助役物５０は、予め、一対の補助アーム３０の各チャック３４に掴まれた状態にセットされている（図１２、１６参照）。
【００３５】
まず、主役物４０と補助役物５０との合体開始の信号（合体開始信号）を受け付ける（ステップＳ１）。次に、図１３に示すように、初期位置にある主アーム２０のチャック２６が初期位置にある主役物４０を掴みに行く（ステップＳ２）。次に、図１４に示すように、主アーム２０のチャック２６が主役物４０を掴み、その後、チャック１８が主役物４０を放す（ステップＳ３）。
【００３６】
次に、図１５〜１６に示すように、主役物４０を掴んだ主アーム２０がケース１０の中央に向けて移動する（ステップＳ４）。次に、図１７〜１８に示すように、初期位置にある両補助アーム３０がケース１０の中央に移動して、図１９〜２０に示すように、主役物４０の係合部４６の係合突起４６ａが補助役物５０の第１の挿込体６２の係合穴６２ｂに挿し込まれる（ステップＳ５）。
【００３７】
次に、図２１〜２２に示すように、補助アーム３０のチャック３４が補助役物５０の掴みを解消すると共に補助役物５０が主役物４０を掴む（ステップＳ６）。この主役物４０の掴みは、トーションばね５２、５４の付勢力によって主役物４０の係合突起４６ｂ、４６ｃが補助役物５０の第２の挿込体６４の係合穴６４ａと第３の挿込体６６の係合穴６６ａに入り込むことで行われる。
【００３８】
なお、この主役物４０の掴みは、既に説明したように、主役物４０の外周面４０ａと挿込体６２、６４、６６の各円弧部６２ｃ、６４ｂ、６６ｂとが対応しているため、見栄えよく実施されることとなる。このように主役物４０を掴むと、挿込体群６０と共に主装飾体群７０の主装飾体７２、７４、７６が広がるため、パチンコ機１の演出効果を高めることができる。
【００３９】
また、このように主役物４０を掴むと、補助装飾体群８０の補助装飾体８２、８４、８６の各円弧部８２ｃ、８４ｃ、８６ｃが主役物４０の外周面４０ａに対応するため、この補助装飾体群８０の補助装飾体８２、８４、８６も広がることとなる。したがって、パチンコ機１の演出効果をより高めることができる。このとき、補助装飾体８６は、トーションばね５６の付勢力に抗して広がることとなっている。次に、図２３〜２４に示すように、補助アーム３０が初期位置に向けて移動する（ステップＳ７）。
【００４０】
最後に、図２５〜２６に示すように、補助アーム３０が初期位置に戻って移動が完了する（ステップＳ８）。このとき、補助アーム３０のチャック３４も戻される。なお、これらステップＳ２〜Ｓ７が行われる各タイミングは、制御装置９０が合体開始信号を受け付けた時から所定時間後にそれぞれ実行されるように、予め、制御装置９０のプログラムによって決められている。このようにして、主役物４０と補助役物５０とが合体することとなる。なお、この合体の戻しは、上述した各ステップを逆の手順で行えばよい。
【００４１】
本発明の実施例に係るパチンコ機１は、上述したように構成されている。この構成によれば、初期位置にある主アーム２０のチャック２６が初期位置にある主役物４０を掴み、その後、チャック１８が主役物４０を放している。その後、主役物４０を掴んだ主アーム２０がケース１０の中央に向けて移動する。すなわち、主役物４０がケース１０から主アーム２０に乗り移る格好となる。そのため、移動させた主役物４０の演出に制限を生じさせることがない。また、従来技術と同様に、興趣性をより高めることができる。
【００４２】
また、この構成によれば、補助アーム３０のチャック３４が補助役物５０の掴みを解消すると共に補助役物５０が主役物４０を掴んだ後に補助アーム３０が初期位置に向けて移動する。すなわち、補助役物５０が補助アーム３０から主役物４０に乗り移る格好となる。そのため、移動させた補助役物５０の演出に制限を生じさせることがない。また、従来技術と同様に、興趣性をより高めることができる。
【００４３】
上述した内容は、あくまでも本発明の一実施の形態に関するものであって、本発明が上記内容に限定されることを意味するものではない。
【００４４】
実施例では、第１の可動役物が主アーム２０のみから成る形態を説明した。しかし、これに限定されるものでなく、第１の可動役物が主アーム２０と主役物４０とから成る形態であっても構わない。
【符号の説明】
【００４５】
１      パチンコ機（遊技機）
４ａ    遊技盤
４ｂ    演出装置
１０    ケース
２０    主アーム
４０    主役物
【図１】
0006608247.tif 000002
【図２】
0006608247.tif 000003
【図３】
0006608247.tif 000004
【図４】
0006608247.tif 000005
【図５】
0006608247.tif 000006
【図６】
0006608247.tif 000007
【図７】
0006608247.tif 000008
【図８】
0006608247.tif 000009
【図９】
0006608247.tif 000010
【図１０】
0006608247.tif 000011
【図１１】
0006608247.tif 000012
【図１２】
0006608247.tif 000013
【図１３】
0006608247.tif 000014
【図１４】
0006608247.tif 000015
【図１５】
0006608247.tif 000016
【図１６】
0006608247.tif 000017
【図１７】
0006608247.tif 000018
【図１８】
0006608247.tif 000019
【図１９】
0006608247.tif 000020
【図２０】
0006608247.tif 000021
【図２１】
0006608247.tif 000022
【図２２】
0006608247.tif 000023
【図２３】
0006608247.tif 000024
【図２４】
0006608247.tif 000025
【図２５】
0006608247.tif 000026
【図２６】
0006608247.tif 000027